【手続補正書】
【提出日】平成16年3月2日(2004.3.2)
【手続補正１】
【補正対象書類名】明細書
【補正対象項目名】発明の名称
【補正方法】変更
【補正の内容】
【発明の名称】画像読み取り装置、画像読み取りシステム、画像読み取り方法、及びそのプログラム


【手続補正２】
【補正対象書類名】明細書
【補正対象項目名】特許請求の範囲
【補正方法】変更
【補正の内容】
【特許請求の範囲】
【請求項１】
複数のチャネルを有し、被写体からの光を受光可能な受光部から出力される有効信号と被写体からの光を受光しないように遮光された遮光部から出力されるＯＢ信号とを前記チャネルごとに出力する撮像手段と、
前記遮光部から出力されるＯＢ信号を前記チャンネルごとにモニタするモニタ手段と、
前記撮像手段から出力される信号を補正する信号補正手段と、
前記モニタ手段による前記ＯＢ信号のモニタ結果に基づいて前記信号補正手段による補正に用いられる基準データを取得するように制御する制御手段とを有することを特徴とする画像読み取り装置。
【請求項２】
前記制御手段は、前記遮光部から第１のＯＢ信号が出力された後に出力される第２のＯＢ信号と前記第１のＯＢ信号との前記チャネルごとのレベル差が所定値よりも大きい場合に、前記信号補正手段による補正に用いられる基準データを取得するよう制御することを特徴とする請求項１に記載の画像読み取り装置。
【請求項３】
前記制御手段は、前記第２のＯＢ信号と前記第１のＯＢ信号とのチャネルごとのレベル差が隣接するチャネル間で所定値よりも大きい場合に前記信号補正手段による補正に用いられる基準データを取得するよう制御することを特徴とする請求項２に記載の画像読み取り装置。
【請求項４】
前記被写体としての原稿と前記撮像手段とを相対的に移動させる移動手段を有し、前記移動手段により複数原稿と前記撮像手段とを相対的に移動させながら前記撮像手段により前記複数原稿を連続して読み取る場合に、連続して読み取られる原稿と原稿の間に前記モニタ手段が前記ＯＢ信号をモニタすることを特徴とする請求項１乃至３のいずれかに記載の画像読み取り装置。
【請求項５】
前記信号補正手段は、前記撮像手段から出力される信号を前記チャネルごとに補正することを特徴とする請求項１乃至４のいずれかに記載の画像読み取り装置。
【請求項６】
前記制御手段は、さらに読み取り開始信号に応じて前記信号補正手段による補正に用いられる基準データを取得するよう制御することを特徴とする請求項１乃至５のいずれかに記載の画像読み取り装置。
【請求項７】
前記撮像手段は複数のセンサチップからなり、前記チャネルは前記センサチップごとに設けられることを特徴とする請求項１乃至６のいずれかに記載の画像読み取り装置。
【請求項８】
前記センサチップは、それぞれ前記受光部と前記遮光部とを有することを特徴とする請求項７に記載の画像読み取り装置。
【請求項９】
前記信号補正手段は、シェーディング補正を行なうことを特徴とする請求項１乃至８のいずれかに記載の画像読取装置。
【請求項１０】
前記信号補正手段は、チャネル間の信号レベル差を補正することを特徴とする請求項１乃至８のいずれかに記載の画像読み取り装置。
【請求項１１】
請求項１〜１０のいずれかに記載の画像読み取り装置と、前記画像読み取り装置から出力される信号を入力し信号処理を行なう信号処理手段を少なくとも有する画像読み取りシステム。
【請求項１２】
複数のチャネルを有し、被写体からの光を受光可能な受光部から出力される有効信号と被写体からの光を受光しないように遮光された遮光部から出力されるＯＢ信号とを前記チャネルごとに出力する撮像手段とを有する画像読み取り装置を用いた画像読み取り方法であって、
前記遮光部から出力されるＯＢ信号をモニタし、モニタ結果に基づいて前記撮像手段から出力される信号の補正に用いられる基準データを取得することを特徴とする画像読み取り方法。
【請求項１３】
前記遮光部から第１のＯＢ信号が出力された後に出力される第２のＯＢ信号と前記第１のＯＢ信号との前記チャネルごとのレベル差が所定値よりも大きい場合に、前記補正に用いられる基準データを取得することを特徴とする請求項１２に記載の画像読み取り方法。
【請求項１４】
前記第２のＯＢ信号と前記第１のＯＢ信号とのチャネルごとのレベル差が隣接するチャネル間で所定値よりも大きい場合に前記補正に用いられる基準データを取得することを特徴とする請求項１３に記載の画像読み取り方法。
【請求項１５】
前記画像読み取り装置は前記被写体としての原稿と前記撮像手段とを相対的に移動させる移動手段を有し、前記移動手段により複数原稿と前記撮像手段とを相対的に移動させながら前記撮像手段により前記複数原稿を連続して読み取る場合に、連続して読み取られる原稿と原稿の間に前記ＯＢ信号をモニタすることを特徴とする請求項１２乃至１４のいずれかに記載の画像読み取り方法。
【請求項１６】
読み取り開始信号に応じて前記補正に用いられる基準データを取得することを特徴とする請求項１２乃至１５のいずれかに記載の画像読み取り方法。
【請求項１７】
前記撮像手段は複数のセンサチップからなり、前記チャネルは前記センサチップごとに設けられることを特徴とする請求項１２乃至１６のいずれかに記載の画像読み取り方法。
【請求項１８】
前記センサチップは、それぞれ前記受光部と前記遮光部とを有することを特徴とする請求項１７に記載の画像読み取り方法。
【請求項１９】
前記撮像手段から出力される信号の補正は、シェーディング補正を含むことを特徴とする請求項１２乃至１８のいずれかに記載の画像読み取り方法。
【請求項２０】
前記撮像手段から出力される信号の補正は、チャネル間の信号レベル差の補正を含むことを特徴とする請求項１２乃至１８のいずれかに記載の画像読み取り方法。
【請求項２１】
請求項１２〜２０のいずれかに記載の画像読み取り方法を制御手段により実行可能であるプログラム。
【手続補正３】
【補正対象書類名】明細書
【補正対象項目名】０００８
【補正方法】変更
【補正の内容】
【０００８】
【課題を解決するための手段】
上記課題を解決するために、本願の請求項１に記載の画像読み取り装置は、複数のチャネルを有し、被写体からの光を受光可能な受光部から出力される有効信号と被写体からの光を受光しないように遮光された遮光部から出力されるＯＢ信号とを前記チャネルごとに出力する撮像手段と、前記遮光部から出力されるＯＢ信号を前記チャンネルごとにモニタするモニタ手段と、前記撮像手段から出力される信号を補正する信号補正手段と、前記モニタ手段による前記ＯＢ信号のモニタ結果に基づいて前記信号補正手段による補正に用いられる基準データを取得するように制御する制御手段とを有することを特徴とする。


【手続補正４】
【補正対象書類名】明細書
【補正対象項目名】０００９
【補正方法】変更
【補正の内容】
【０００９】
また、請求項１２に記載の画像読み取り方法は、複数のチャネルを有し、被写体からの光を受光可能な受光部から出力される有効信号と被写体からの光を受光しないように遮光された遮光部から出力されるＯＢ信号とを前記チャネルごとに出力する撮像手段とを有する画像読み取り装置を用いた画像読み取り方法であって、前記遮光部から出力されるＯＢ信号をモニタし、モニタ結果に基づいて前記撮像手段から出力される信号の補正に用いられる基準データを取得することを特徴とする。


【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】０１０８
【補正方法】変更
【補正の内容】
【０１０８】
【発明の効果】
以上説明したように、本発明によれば、撮像手段から出力される信号の補正に用いる基準データを適切なタイミングで取得することで常に良好な画像読み取りを行なうことができる。